(57)【要約】【課題】ベースと支柱とを簡単に着脱することができ、且つベースに支柱を装着したときに、ベースと支柱との間で電気的な接続を確実に行なえる扇風機を提供する。【解決手段】支柱３の台座２１をベース２の凹部２２に挿入し、そこから支柱３を一方向に回転させるだけで、ベース２に対して支柱３が嵌合してロック状態に装着される。それと共に、ベース側端子４７が移動して支柱側端子２９に接触し、ベース２と支柱３との間で電気的な接続が図られる。また、このロック状態からロックボタン４２を操作するだけで、ベース２と支柱３とのロック状態が解除され、ベース２から支柱３を簡単に取り外すことができる。そのため、ベース２と支柱３とを簡単に着脱することができ、ベース２に支柱３を装着したときに、ベース２と支柱３との間で電気的な接続を確実に行なうことができる。【選択図】図６
2014092054.tif 000002
【特許請求の範囲】
【請求項１】
ベースに支柱を着脱可能に設けた扇風機において、
前記ベースの上面に凹部を設け、
前記凹部にベース側端子を設けると共に、このベース側端子に対応して前記支柱に支柱側端子を設け、
前記支柱の下端部を前記凹部に挿入した状態で前記支柱を回動させたときに、前記ベースと前記支柱とを嵌合させる嵌合機構と、
前記ベースと前記支柱が嵌合したときに、前記支柱側端子に前記ベース側端子が接触するように、前記ベース側端子を移動させる可動機構と、
操作部からの操作により、前記ベースと前記支柱との嵌合を解除する嵌合解除機構と、
を備えたことを特徴とする扇風機。
【請求項２】
前記ベースと前記支柱が嵌合したのを検知部で検知すると、前記ベースと前記支柱との間の通電を可能にする構成としたことを特徴とする請求項１記載の扇風機。
【請求項３】
前記凹部から前記支柱を取り外したときに、前記ベース側端子を覆うように可動するシャッター機構を設けたことを特徴とする請求項１または２記載の扇風機。
【請求項４】
前記支柱側端子を前記ベース側端子に向けて付勢する付勢手段を設けたことを特徴とする請求項１〜３の何れか一つに記載の扇風機。
【発明の詳細な説明】
【技術分野】
【０００１】
本発明は、ベースに直立して支柱を設けた扇風機に関し、特にベースと支柱との着脱構造に工夫を加えた扇風機に関する。
【背景技術】
【０００２】
この種の扇風機として、例えば特許文献１には、床面に載置されるベースに支柱を直立して着脱可能に設け、ベースの底面側から取付リングを支柱の下端部に螺着することにより、支柱とベースとを固定したものが開示されている。
【０００３】
また、別な特許文献２では、上述した取付リングを用いることなく、ベースに対して支柱をワンタッチで着脱できる扇風機が開示されている。
【先行技術文献】
【特許文献】
【０００４】
【特許文献１】特開平１０−７７９９１号公報
【特許文献２】特開２００５−２４８７３５号公報
【発明の概要】
【発明が解決しようとする課題】
【０００５】
しかし、上述した特許文献１の扇風機は、ベースに支柱を着脱する際に、ベースの裏面側を上に向けて取付リングをいちいち手で回す操作が必要となり、扇風機の分解時や組立時の手間となる。
【０００６】
また、特許文献２の扇風機は、支柱の下端部に電装部品を収納する収納ケースを設け、この収納ケースをベースの上面に形成した凹部に嵌合する構造になっており、ベースと支柱との間で電気的な接続を行なうことができない。
【０００７】
そこで本発明は上記問題点に鑑み、ベースと支柱とを簡単に着脱することができ、且つベースに支柱を装着したときに、ベースと支柱との間で電気的な接続を確実に行なえる扇風機を提供することを目的とする。
【課題を解決するための手段】
【０００８】
請求項１の発明では、支柱の下端部をベースの凹部に挿入し、そこから支柱を一方向に回転させるだけで、ベースに対して支柱が嵌合してロック状態に装着されると共に、ベース側端子が移動して支柱側端子に接触し、ベースと支柱との間で電気的な接続が図られる。また、このロック状態から操作部を操作するだけで、ベースと支柱とのロック状態が解除され、ベースから支柱を簡単に取り外すことができる。
【０００９】
請求項２の発明では、ベースと支柱との嵌合を解除した状態では、ベースと支柱との間の通電が禁止されるので、ベース側端子間に通電に伴う電圧が発生するのを確実に防止して、安全性を高めた扇風機を提供できる。
【００１０】
請求項３の発明では、凹部から前記支柱を取り外したときには、ベース側端子がシャッター機構で覆われて外部に露出せず、ベース側端子への異物の侵入や接触を防止できる。
【００１１】
請求項４の発明では、支柱側端子がベース側端子に押し付けられた状態で、支柱側端子とベース側端子が接触するので、ベースと支柱との間の電気的な接続をより確実なものとすることができる。
【発明の効果】
【００１２】
請求項１の発明によれば、ベースと支柱とを簡単に着脱することができ、且つベースに支柱を装着したときに、ベースと支柱との間で電気的な接続を確実に行なえる扇風機を提供することができる。
【００１３】
請求項２の発明によれば、ベースと支柱との嵌合を解除した状態での安全性を高めた扇風機を提供できる。
【００１４】
請求項３の発明によれば、ベース側端子への異物の侵入や接触を防止して、安全性を高めた扇風機を提供できる。
【００１５】
請求項４の発明によれば、ベースと支柱との間の電気的な接続をより確実なものにして、信頼性の高い扇風機を提供できる。
【図面の簡単な説明】
【００１６】
【図１】本発明の一実施例を示す扇風機本体の全体斜視図である。
【図２】同上、扇風機本体の正面図である。
【図３】同上、扇風機本体の右側面図である。
【図４】同上、扇風機本体の平面図である。
【図５】同上、送風部を傾けた状態の扇風機本体の右側面図である。
【図６】同上、ベースと支柱の嵌合部分を示す要部の斜視図である。
【図７】同上、支柱の下部を示す要部の側面図である。
【図８】同上、支柱の底面図である。
【図９】同上、ベース側端子が収納された状態の要部の斜視図である。
【図１０】同上、ベース側端子が飛び出した状態の要部の斜視図である。
【図１１】同上、支柱をベースにセットした状態を示す要部の斜視図である。
【図１２】同上、支柱を一方向に回転させてベースにロックした状態を示す要部の斜視図である。
【図１３】同上、支柱をベースにセットした状態を示す要部の断面図である。
【図１４】同上、支柱を一方向に回転させてベースにロックした状態を示す要部の断面図である。
【図１５】同上、ベース側端子がカバー部材に収納された状態を示す要部の断面図である。
【図１６】同上、ベース側端子がカバー部材から突出した状態を示す要部の断面図である。
【図１７】同上、支柱側端子とその周辺を示す要部の断面図である。
【図１８】同上、支柱側端子がベース側端子に接触している状態を示す要部の断面図である。
【図１９】同上、支柱側端子がベース側端子から離れた状態を示す要部の断面図である。
【図２０】同上、扇風機の電気的な構成を示すブロック図である。
【発明を実施するための形態】
【００１７】
以下、添付図面を参照しつつ、本発明における扇風機の好ましい実施例を説明する。
【００１８】
図１〜図５は扇風機本体１の外観を示しており、これらの各図において、２は室内の床面などに載置されるベース、３はベース２から上方に向かう支柱、４は風を送り出す羽根部としての送風部で、支柱３の上端部と送風部４との間には、送風部４を任意の方向に首振り運動させるための首振り装置６が装備される。ベース２は、その外形が平面視でほぼ円形をなす扁平状に形成され、前方上面には複数のキーやボタンによる操作体の他に、ＬＥＤなどの表示体を備えた操作パネル８が設けられる。また支柱３は、首振り装置６を含めた送風部４を昇降させる昇降装置をなすもので、ベース２の後方上面から垂直に延びる筒状の支柱基部１１と、この支柱基部６の内側に上下摺動自在に組み付けられた摺動杆１２とからなり、支柱基部１１の上部後方に設けたロック釦１３を、図示しない弾性体の付勢力に抗して押動することにより、支柱基部１１と摺動杆１２との係合が解除されて、送風部４や首振り装置６を支持する摺動杆１２が、支柱基部１１に対して上下に摺動するようになっている。なお、上記各図には示していないが、扇風機本体１には遠隔操作体としてのリモコン送信機を別体で備えており、これらの扇風機本体１とリモコン送信機とにより、本実施例における扇風機が構成される。
【００１９】
送風部４は、駆動源としてのＤＣ（直流）ファンモータ１５と、このＤＣファンモータ１５により回転駆動されるファン１６と、ファン１６を覆う網状のファンガード１７とからなる。ファン１６は、ＤＣファンモータ１５の前方に突出した回転軸（図示せず）に固定され、複数の羽根１８を放射状に配置して構成される。また、送風部４のＤＣファンモータ１５と首振り装置６の全体は、前側を開口した駆動部カバー１９により覆われており、この駆動部カバー１９の開口周縁にファンガード１７が取り付けられる。本実施例では、特に送風部４の駆動源としてＡＣ（交流）モータではなく、ＤＣファンモータ１５を採用しているので、このＤＣファンモータ１５に供給するパルス駆動信号のデューティを制御することで、ファン１６の回転数を任意に可変することができる。
【００２０】
次に、ベース２と支柱３との嵌合部分の構成について、図６〜図１０を参照しながら説明する。
【００２１】
支柱３は、その下端部に支柱基部１１よりも径大な金属製の台座２１が設けられ、この円筒状の台座２１に対応して、ベース２の上面部には有底状の凹部２２が形成される。台座２１の側面には、所定の間隔毎に複数の嵌合突起２３が配設されると共に、外方に突出する環状の段部２４が一体的に形成される。段部２４の適所には、下側を開口した嵌合受溝２６が形成される。また、台座２１の底面開口を塞ぐように、支柱３の最下端部には樹脂などの絶縁材料からなるキャップ部材２７が取付け固定される。キャップ部材２７には、周方向に複数の孔２８が設けられており、この孔２８に対向して、送風部４のＤＣファンモータ１５などに繋がる金属板状の支柱側端子２９が、台座２１の内部にそれぞれ配設される。キャップ部材２７はその他に、中央部から下側に突出するリブ３２と、キャップ部材２７の外周部を部分的に切欠いた切欠き部３３が設けられる。
【００２２】
一方、前述の凹部２２は、ベース２の内部に組み込まれた金属製の取付部材３５により側面が形成され、樹脂などの絶縁材料からなるカバー部材３６により底面が形成される。取付部材３５は、台座２１の側面に対向する環状部３８を一体的に形成しており、この環状部３８には、前記嵌合突起２３が嵌入可能なＬ字状の被嵌合溝３９が、それぞれの嵌合突起２３に対応して複数設けられる。また、４０は前記嵌合受溝２６が嵌り込む大きさに形成された可動片であり、この可動片４０は環状部３８の上面から出没可能に配設される。可動片４０は図１３や図１４に示すように、ベース２の内部に設けた可動部材４１と一体に形成され、この可動部材４１には、凹部２２の近傍に露出して設けたロックボタン４２が装着される。ロックボタン４２を含む可動部材４１は、弾性体としてのスプリング４３により常時上方向に付勢される。
【００２３】
図１５や図１６にも示すように、カバー部材３６は周方向に複数の孔４６が設けられており、この孔４６に対向して、金属製ピンからなるベース側端子４７が、ベース２の内部にそれぞれ配設される。また、ベース側端子４７の中央には、ベース２に対して周方向に回動自在な可動体４８が配設される。カバー部材３６から露出する可動体４８の中央上面には、支柱３をベース２の凹部２２に差し込んだときに、キャップ部材２７のリブ３２が係合するマイナス溝４９が形成されると共に、カバー部材３６で覆われた可動体４８の外周上面には、山形状のリブ５１が形成される。そして、キャップ部材２７のリブ３２がマイナス溝４９に係合した状態で、ベース２に対して支柱３を回動させることにより、リブ５１を含む可動体４８も支柱３と共に回動する構成となっている。
【００２４】
カバー部材３６の外周上面には、キャップ部材２７の切欠き部３３に対向して凸部５２が配設される。これらの切欠き部３３と凸部５２は、ベース２に対して支柱３を特定方向から装着できるようにする位置決め機構として設けられている。
【００２５】
ベース２の内部には、可動体４８を取り囲むように、上下に可動する樹脂製の基板支持部材５３が配設される。本実施例では、複数のベース側端子４７が共通する一つの基板５５に実装され、この基板５５が基板支持部材５３の上面部に装着される。これらの基板支持部材５３や基板５５は、ベース側端子４７がカバー部材３６の上面よりも飛び出さずに収納されるように、弾性体としてのスプリング５６により常時下方向に付勢される。前記可動体４８の外周上面に対向する基板支持部材５３の底面には、山形状のリブ５８が形成されており、可動体４８の回転に伴い、このリブ５８の頂点がスプリング５６の付勢に抗してリブ５１の頂点に乗り上げることにより、カバー部材３６の上面からベース側端子４７が飛び出して、対向する支柱側端子２９に確実に接触するようになっている。
【００２６】
前記複数の支柱側端子２９は、図１７に示すように、台座２１の内部に取付け固定された共通する一つの基板６０に実装される。ここでは、ベース側端子４７の高さばらつきを吸収できるように、支柱側端子２９をバネ構造にすることが好ましい。このバネ構造は、例えば図１８に示すように、ベース側端子４７の移動方向Ｄに沿って、支柱側端子２９の先端側に弾性変形可能な板バネ片６１を設けることで実現する。板バネ片６１は、支柱側端子２９にベース側端子４７が接触したときに、支柱側端子２９をベース側端子４７に向けて付勢する付勢手段として作用するが、例えば支柱側端子２９とは別体のスプリングを付勢手段として設けて、同様の機能を発揮させてもよい。
【００２７】
また図１８や図１９に示すように、好ましくはベース２には、凹部２２に差し込んだ支柱３の回動に伴い、ベース側端子４７を覆ったり、或いはベース側端子４７から離れたりするように可動するシャッター部材６３が設けられる。このシャッター部材６３は、特に支柱３をベース２にロックするために、支柱３と共に可動体４８を一方向に回転させたときには、支柱側端子２９とベース側端子４７との接触を妨げないように、ベース側端子４７の先端部から離れるように移動する一方で、凹部２２から支柱３を取り外すのに、支柱３と共に可動体４８を逆方向に回転させたときには、ベース側端子４７の先端部を覆うように移動して、異物の侵入を防止し得るようにしている。
【００２８】
上記構成では、支柱３の下端部に設けた台座２１を凹部２２に挿入した状態で、支柱３を一方向に回転させたときに、ベース２と支柱３とをロック状態の嵌合させる嵌合機構６６として、ベース２側の被嵌合溝３９を含む取付部材３５，可動片４０を含む可動部材４１，スプリング４３や、支柱３側の嵌合突起２３と嵌合受溝２６を含む台座２１が設けられる。また、ベース２と支柱３が嵌合したときに、支柱側端子２９にベース側端子４７が接触するようにベース側端子４７を可動させる可動機構６７として、ベース２側のマイナス溝４９とリブ５１を含む可動体４８，リブ５８を含む基板支持部材５３，基板５５，スプリング５６や、支柱３側のリブ３２を含むキャップ部材２７が設けられる。さらに、操作部であるロックボタン４２からの操作により、ベース２と支柱３との嵌合を解除する嵌合解除機構６８として、可動片４０を含む可動部材４１やスプリング４３が設けられる。
【００２９】
次に、電気的な構成を図２０に基づき説明する。７１は商用電源Ｓからの交流電力を直流電力に変換するＡＣ／ＤＣ変換回路、７２は複数の半導体スイッチ素子を含むインバータ回路である。７３は、ベース２と支柱３がロック状態に嵌合したか否かを検知する検知スイッチで、この検知スイッチ７３からの検知信号と、操作パネル８からの操作信号と、ＤＣファンモータ１５からの回転子位置を検知する検知信号が、制御部７４に各々取り込まれる。制御部７４は、検知スイッチ７３からの検知信号により、ベース２と支柱３が嵌合していると判断したときにのみ、操作パネル８からの操作信号や、ＤＣファンモータ１５からの検知信号に基づき、インバータ回路７２にＰＷＭ制御信号を送出する機能を有する。これによりインバータ回路７２は、ＡＣ／ＤＣ変換回路７１からの直流電力を入力として、制御部７４からのＰＷＭ制御信号に基づき半導体スイッチ素子を個々にスイッチング動作させ、ＤＣファンモータ１５に所望のパルス駆動信号を送出する構成になっている。
【００３０】
上述した操作パネル８，ＡＣ／ＤＣ変換回路７１，インバータ回路７２，検知スイッチ７３および制御部７４は、何れもベース２内に組み込まれる一方で、ＤＣファンモータ１５を含む送風部４は、支柱３の先端部に設けられる。したがって、少なくともインバータ回路７２および制御部７４とＤＣファンモータ１５とを繋ぐ配線路の途中には、ベース側端子４７と支柱側端子２９が着脱可能に設けられる。また、ＤＣファンモータ１５以外の電装部品と、ベース２内に組み込まれた電装部品との間で、同様のベース側端子４７と支柱側端子２９を設けても構わない。さらに、交流電源ＳからＤＣファンモータ１５との間の配線路の途中にスイッチ手段を設け、ベース２と支柱３が嵌合している場合にのみ、検知スイッチ７３からの検知信号に基づいてスイッチ手段をオンするように構成してもよい。
【００３１】
次に上記構成に関し、図１１〜図１９を参照しながら、本実施例における扇風機の作用を説明する。ベース２に支柱３を組み立てる場合、先ずベース２を床面に載置した状態から、キャップ部材２７の切欠き部３３がカバー部材３６の凸部５２に嵌り込むように、ベース２の凹部２２に支柱３の台座２１を差し込むと、台座２１に設けた嵌合突起２３が、取付部材３５の環状部３８に設けた被嵌合溝３９に嵌り込む。この場合、切欠き部３３は支柱３の側面側から視認でき、また凸部５２もベース２の上面側から視認できるので、これらの切欠き部３３や凸部５２を利用して、支柱３を特定の方向からベース２に簡単に差し込むことができる。
【００３２】
図１１は、取付部材３５の環状部３８の上面に台座２１の段部２４の底面が突き当たる位置にまで、ベース２の凹部２２に支柱３の台座２１を差し込んだセット状態を示している。同図において、支柱３は矢印Ａの方向、すなわちベース２の上面側から下方向に差し込まれている。また、このセット状態では、可動体４８の被係合部たるマイナス溝４９に、キャップ部材２７の係合部たるリブ３２が係合して、支柱３と可動体４８が共に回動する状態になっている。
【００３３】
このときのロックボタン４２は、図１３に示すように、支柱３の台座２１に形成した段部２４の下面が、スプリング４３の付勢に抗して、可動部材４１と一体の可動片４０を下方に押している関係で、その上端面がベース２の上面よりも下方に位置している。つまり可動片４０を含む可動部材４１やロックボタン４２は、段部２４に形成した嵌合受溝２６に可動片４０が嵌合しない限り、この段部２４の下面に押されており、またベース２に対する支柱３の回動も可能になる。
【００３４】
次に図１２に示すように、ベース２に支柱３を完全に差し込んだセット状態から、支柱３を矢印Ｂの方向に回転させると、スプリング４３の付勢力によって、ベース２側の可動片４０が支柱３側の嵌合受溝２６に押し上げられて嵌合し、その位置でベース２に対して支柱３がロックする。このロック状態では、支柱３側の嵌合突起２３がベース２側の被嵌合溝３９の先端にまで達して突き当たり、支柱３の矢印Ｂの方向への回転をそこで規制する。
【００３５】
また、このときのロックボタン４２は、図１４に示すように、可動部材４１の可動片４０がスプリング４３の付勢力によって押し上げられ、嵌合受溝２６に嵌入している関係で、その上端面がベース２の上面よりも上方に位置している。したがって、スプリング４３の付勢に抗してロックボタン４２を強制的に押し下げない限り、ベース２に対する支柱３のロック状態が維持される。
【００３６】
一方、図１２や図１４に示すロック状態から、ベース２に対して支柱３を分解するには、先ずスプリング４３の付勢に抗してロックボタン４２を押し下げ、ベース２側の可動片４０と支柱３側の嵌合受溝２６との嵌合を解除させた後に、支柱３を矢印Ｂとは反対の方向に回転させる。そして、支柱３側の嵌合突起２３がベース２側の被嵌合溝３９の基端側に達するまで支柱３を回転させ、そこから図１１に示す矢印Ａとは反対の方向に支柱３を持ち上げると、嵌合突起２３と被嵌合溝３９との嵌合も解除され、ベース２から支柱３を取り外すことができる。
【００３７】
このように、本実施例の扇風機は、従来のように床面に接触するベース２の裏面側を上に向けることなく、ベース２に対して支柱３を抜き差しする動作と、支柱３を回転する動作と、分解時にのみロックボタン４２を押す動作だけで、ベース２と支柱３の組立や分解を簡単に行なうことができる。
【００３８】
次に、支柱側端子２９とベース側端子４７との接続構造について説明する。
【００３９】
図１５は、支柱３をベース２３から取り外した状態を示しており、この場合は、可動体４８と一体に形成したリブ５１の頂点が、基板支持部材５３と一体に形成したリブ５８の頂点に対して外れた位置にあり、基板支持部材５３に取り付けられた基板５５が、スプリング５６の付勢力によってベース２の内部で押し下げられて、カバー部材３６内にベース側端子４７が収納される。つまり、支柱３が取り外されてカバー部材３６が露出しているときには、ベース側端子４７の先端がカバー部材３６の上面よりも下方に位置するため、例えば子供などが不意にベース側端子４７に触れる可能性を減らして、安全性を高めることができる。さらにこの状態では、別な図１９に示すように、可動体４８に連動してシャッター部材６３がベース側端子４７を外部に露出しないように覆うことで、ベース側端子４７への異物の侵入や接触を確実に防止でき、より安全性を向上できる。
【００４０】
一方、ベース２に対して支柱３をセットし、支柱３を前述の矢印Ｂの方向に回転すると、可動体４８のマイナス溝４９にキャップ部材２７のリブ３２が係合して、図１６に示すように、支柱３と共に可動体４８も矢印Ｃの方向に回転する。この可動体４８の回転に伴い、基板支持部材５３のリブ５８の頂点がリブ５１の頂点に乗り上げると、基板支持部材５３に取り付けられた基板５５が、スプリング５６の付勢に抗してベース２の内部で上方に移動し、ベース側端子４７がカバー部材３６の外部に飛び出すようになる。ここでの支柱３の回転に伴うベース側端子４７の飛び出し量は、リブ５１，５８の高さ寸法によって規定される。
【００４１】
また図１８に示すように、それまでベース側端子４７を覆っていたシャッター部材６３も、ベース側端子４７から離れて、ベース端子４７と支柱側端子２９との接触を妨げない位置に移動する。そのため、ベース２に対して支柱３がロックした状態では、ベース側端子４７の先端がカバー部材３６の上面よりも上方に位置して外部に露出し、対向する支柱側端子２９に確実に接触するようになる。
【００４２】
さらに本実施例では、図１７や図１８に示すように、支柱側端子２９をバネ構造とするために、支柱側端子２９の先端側を板バネ片６１として一体に形成している。この板バネ片６１は、ベース２に対して支柱３をセットし、支柱３を前述の矢印Ｂの方向に回転したときに（図１９では、支柱３に対するベース２の移動方向Ｄとして示している）、ベース側端子４７に向けて次第に付勢力が強く働くように、移動方向Ｄに沿って配置される。したがって、ベース２に対して支柱３がロックした状態では、板バネ片６１の下端に支柱側端子２９の先端が位置し、支柱側端子２９がベース側端子４７に強く押し付けられた状態で、支柱側端子２９とベース側端子４７が接触するので、ベース２と支柱３との間の電気的な接続をより確実なものとすることができる。
【００４３】
扇風機を使用する際には、操作パネル８の例えば運転ボタンを押動操作すると、制御部７４は検知スイッチ７３からの検知信号を取込み、ベース２と支柱３が上述のロック状態であるか否かを判断する。そして、ベース２と支柱３がロック状態であれば、制御部７４はベース２と支柱３との間の通電を可能にするために、インバータ回路７２にＰＷＭ制御信号を送出する。これによりインバータ回路７２は、ベース側端子４７間に例えば直流２４Ｖのパルス駆動信号を送出できるようになり、ＤＣファンモータ１５の回転により送風部４から所望の風量での送風が可能になる。
【００４４】
一方、ベース２と支柱３がロック状態となっていない場合、制御部７４はベース２と支柱３との間の通電を禁止するために、インバータ回路７２へのＰＷＭ制御信号の送出を強制的に停止する。これによりインバータ回路７２からパルス駆動信号は送出されなくなり、ベース２と支柱３との嵌合を解除した状態で、ベース側端子４７間に通電に伴う電圧が発生するのを確実に防止して、安全性を高めた扇風機を提供できる。
【００４５】
以上のように本実施例では、ベース２に支柱３を着脱可能に設けた扇風機において、ベース２の上面に凹部２２を設け、この凹部２２にベース側端子４７を設けると共に、このベース側端子４７に対応して支柱３に支柱側端子２９を設け、支柱３の下端部に設けた支柱側端子２９の収納部である台座２１を凹部２２に挿入した状態で、ベース２に対して支柱３を回動させたときに、ベース２と支柱３とを嵌合させてロック状態にする嵌合機構６６と、ベース２と支柱３が嵌合したときに、支柱側端子２９にベース側端子４７が接触するように、ベース２に対する支柱３の回動に伴いベース側端子４７を支柱側端子２９に向けて移動させる可動機構６７と、操作部としてのロックボタン４２からの操作により、ベース２と支柱３との嵌合を解除する嵌合解除機構６８と、を備えて構成される。
【００４６】
この場合、支柱３の台座２１をベース２の凹部２２に挿入し、そこから支柱３を一方向に回転させるだけで、ベース２に対して支柱３が嵌合してロック状態に装着されると共に、ベース側端子４７が移動して支柱側端子２９に接触し、ベース２と支柱３との間で電気的な接続が図られる。また、このロック状態からロックボタン４２を操作するだけで、ベース２と支柱３とのロック状態が解除され、ベース２から支柱３を簡単に取り外すことができる。そのため、ベース２と支柱３とを簡単に着脱することができ、且つベース２に支柱３を装着したときに、ベース２と支柱３との間で電気的な接続を確実に行なえる扇風機を提供できる。
【００４７】
また本実施例では、ベース２と支柱３が嵌合したのを検知部としての検知スイッチ７３で検知したときにのみ、ベース２と支柱３との間の通電を可能にする構成となっている。
【００４８】
この場合、ベース２と支柱３との嵌合を解除した状態では、ベース２と支柱３との間の通電が禁止されるので、ベース側端子４７間に電圧が発生するのを確実に防止して、安全性を高めた扇風機を提供できる。
【００４９】
また本実施例では、ベース２の凹部２２から支柱３の台座２１を取り外したときに、ベース側端子４７を覆うように可動するシャッター機構として、シャッター部材６３を設けている。
【００５０】
この場合、ベース２の凹部２２から支柱３の台座２１を取り外したときには、ベース側端子４７がシャッター部材６３で覆われて外部に露出せず、ベース側端子４７への異物の侵入や接触を防止でき、この点でも安全性を高めた扇風機を提供できる。
【００５１】
また本実施例では、支柱側端子２９をベース側端子４７に向けて付勢する付勢手段として、支柱側端子２９と一体的に形成した板バネ片６１を設けている。
【００５２】
この場合、支柱側端子２９がベース側端子４７に押し付けられた状態で、支柱側端子２９とベース側端子４７が接触するので、ベース２と支柱３との間の電気的な接続をより確実なものとすることができ、信頼性の高い扇風機を提供できる。
【００５３】
なお、本発明は上記実施例に限定されるものではなく、本発明の趣旨を逸脱しない範囲で種々の変更可能である。上述した嵌合機構６６，可動機構６７，嵌合解除機構６８，シャッター機構，付勢手段は、実施例で示した構成に限定されるものではなく、同様の機能を発揮する別な構成を採用しても構わない。
【符号の説明】
【００５４】
２  ベース
３  支柱
２２  凹部
２９  支柱側端子
４２  ロックボタン（操作部）
４７  ベース側端子
６１  板バネ片（付勢手段）
６３  シャッター部材（シャッター機構）
６６  嵌合機構
６７  可動機構
６８  嵌合解除機構
７３  検知スイッチ（検知部）
【図１】
2014092054.tif 000003
【図２】
2014092054.tif 000004
【図３】
2014092054.tif 000005
【図４】
2014092054.tif 000006
【図５】
2014092054.tif 000007
【図６】
2014092054.tif 000008
【図７】
2014092054.tif 000009
【図８】
2014092054.tif 000010
【図９】
2014092054.tif 000011
【図１０】
2014092054.tif 000012
【図１１】
2014092054.tif 000013
【図１２】
2014092054.tif 000014
【図１３】
2014092054.tif 000015
【図１４】
2014092054.tif 000016
【図１５】
2014092054.tif 000017
【図１６】
2014092054.tif 000018
【図１７】
2014092054.tif 000019
【図１８】
2014092054.tif 000020
【図１９】
2014092054.tif 000021
【図２０】
2014092054.tif 000022